(57)【要約】【課題】蓄電池ボックスを取り外す場合にコネクタ部分にかかる負荷を軽減する。【解決手段】蓄電池ボックス２０には、コネクタ２９に接続されている。コネクタ２９は、平面形状がほぼＵ字状である蓄電池ボックス２０の一端側において内側に形成されている。コネクタ２９の近傍における蓄電池ボックス２０の外側において本体１０の内壁に面する位置には、外方向へ突出した段部２２ａを有する第１の係合手段であるバネ２２が設けられている。ユニットケース３０には、蓄電池ボックス２０のコネクタ２９に対応する位置に、コネクタ３６が設けられている。バネ２２の位置近傍にコネクタ２９が存在するため、蓄電池ボックス２０の引き出しと共にコネクタ２９の結合を解除がなされ、コネクタ２９、３６の破損を回避できる。【選択図】図６
2008192333.tif 000002
【特許請求の範囲】
【請求項１】
蓄電池と；
蓄電池を内蔵する蓄電池ボックスと；
商用電源の供給を受けて蓄電池の充電を行うための充電回路と；
蓄電池から電力が供給された場合に点灯する光源と；
商用電源が遮断された場合に、蓄電池から電力を光源に供給する点灯回路と；
充電回路及び点灯回路を内蔵するケースと；
ケース内の回路と蓄電池を接続するためにケースおよび蓄電池ボックスに設けられた接続部と；
ケースと蓄電池ボックスが配設される本体と；
蓄電池ボックスにおける接続部の近傍に設けられ、蓄電池を本体に係合する第１の係合手段と；
を具備することを特徴とする非常用照明器具。
【請求項２】
第１の係合手段は、本体内壁に面した位置に設けられていることを特徴とする請求項１に記載の非常用照明器具。
【請求項３】
蓄電池を内蔵した蓄電池ボックスの重心を中心として、第１の係合手段と重量的に対称な位置に第２の係合手段が設けられていることを特徴とする請求項１または２に記載の非常用照明器具。
【請求項４】
第１の係合手段が設けられた位置近傍には、放熱口を形成すると共に壁強度を強化したことを特徴とする請求項１乃至３のいずれか１に記載の非常用照明器具。
【発明の詳細な説明】
【技術分野】
【０００１】
この発明は、商用電源が遮断された場合に、蓄電池駆動により点灯して所要箇所の照明を行う非常用照明器具に関するものである。
【背景技術】
【０００２】
従来、この種の非常用照明器具においては、特許文献１に記載されているように本体にユニットケースを取り付け、更にコネクタ部をコネタク受け部に接続すると共に本体に蓄電池ボックスを取付けている。この場合、蓄電池ボックスの段部を本体の周壁に嵌合し、同時に突起部を凹部に嵌合し、係止爪および爪受け部の組を逃げ凹部に位置させるように嵌め、さらにコネクタ部をコネタク受け部に接続し、蓄電池ボックスを取付具に対して押すことにより被取付部の板ばねの係止段部を引掛面に引掛け、これにより本体に蓄電池ボックスを取付けている。
【０００３】
上記の構成において、蓄電池ボックスを取り外す場合には、蓄電池ボックスの被取付部の板ばねを押さえて引掛面から外し、蓄電池ボックスを天井から離れる方向へ引き出すことになる。
【特許文献１】特開２００４−１８５８４２号公報（図１〜図４、００３０欄等）
【発明の開示】
【発明が解決しようとする課題】
【０００４】
しかしながら、蓄電池ボックスの被取付部（板ばね）は、コ字状をなす蓄電池ボックスの中央部内側に設けられており、コネクタ部は蓄電池ボックスの一端部に設けられている。従って、被取付部の板ばねの係止段部を（板ばねを押さえて）引掛面から外したときには、コネクタ部とコネタク受け部とは結合状態にある。このため、コネクタ部とコネタク受け部との結合部分を支点として蓄電池ボックスが垂れ下がる状態となる可能性があり、最悪の場合には、コネクタ部とコネタク受け部との少なくとも一方が破損する危険がある。
【０００５】
本発明はこのような従来の非常用照明器具における問題点を解決せんとしてなされたもので、その目的は、蓄電池ボックスを取り外す場合に接続部にかかる負荷をできる限り小さくすることが可能な構成を有する非常用照明器具を提供することである。
【課題を解決するための手段】
【０００６】
本発明に係る非常用照明器具は、蓄電池と；蓄電池を内蔵する蓄電池ボックスと；商用電源の供給を受けて蓄電池の充電を行うための充電回路と；蓄電池から電力が供給された場合に点灯する光源と；商用電源が遮断された場合に、蓄電池から電力を光源に供給する点灯回路と；充電回路及び点灯回路を内蔵するケースと；ケース内の回路と蓄電池を接続するためにケースおよび蓄電池ボックスに設けられた接続部と；ケースと蓄電池ボックスが配設される本体と；蓄電池ボックスにおける接続部の近傍に設けられ、蓄電池を本体に係合する第１の係合手段と；を具備することを特徴とする。
【０００７】
第１の係合手段は、バネと突起部等により構成することができる。蓄電池ボックスと本体とにバネと突起部のいずれを設けるかについては限定はないが、蓄電池ボックスにバネを設ける場合にはバネを押しながら蓄電池ボックスを支えることができ、作業効率を良好にすることができる。本体は、天井などの取付面から突出した状態に取り付けられ、または突出しない状態に取り付けられる。光源は、ハロゲン電球やＬＥＤなどを許容する。
【０００８】
本発明に係る非常用照明器具では、第１の係合手段が、本体内壁に面した位置に設けられていることを特徴とする。
【０００９】
本発明に係る非常用照明器具では、蓄電池を内蔵した蓄電池ボックスの重心を中心として、第１の係合手段と重量的に対称な位置に第２の係合手段が設けられていることを特徴とする。
【００１０】
本発明に係る非常用照明器具では、第１の係合手段が設けられた位置近傍には、放熱口を形成すると共に壁強度を強化したことを特徴とする。
【発明の効果】
【００１１】
本発明に係る非常用照明器具では、蓄電池を本体に係合する第１の係合手段が、蓄電池ボックスにおける接続部の近傍に設けられているので、接続部に近い第１の係合部付近を支えながら係合を解除することができ、接続部が支点となり蓄電池ボックスが垂れ下がるような事態を防ぐことができ、蓄電池ボックスを取り外す場合に接続部にかかる負荷をできる限り少なくすることが可能である。
【００１２】
本発明に係る非常用照明器具では、第１の係合手段が、本体内壁に面した位置に設けられているので、蓄電池ボックスを親指と人差し指の間に挟んだ状態で親指以外により第１の係合手段を操作することができ、内側に係合手段を設けた場合に比べて作業が容易になる利点がある。
【００１３】
本発明に係る非常用照明器具では、蓄電池を内蔵した蓄電池ボックスの重心を中心として、第１の係合手段と重量的に対称な位置に第２の係合手段が設けられているので、第１の係合手段と第２の係合手段とをそれぞれ手で支えながら蓄電池ボックスの取り外しを行うようにして、本体から蓄電池ボックスを均等に引き離すことができ、接続部にかかる負荷をより少なくすることが可能である。
【００１４】
本発明に係る非常用照明器具では、第１の係合手段が設けられた位置近傍には、放熱口を形成すると共に壁強度が強化されているので、発熱が生じ易い接続部において適切な放熱がなされると共に、第１の係合手段を設けるために必要な強度が確保される。
【発明を実施するための最良の形態】
【００１５】
以下添付図面を参照して、本発明に係る非常用照明器具の実施例を説明する。各図において同一の構成要素には、同一の符号を付して重複する説明を省略する。実施例に係る非常用照明器具は、図４に示すように、有底筒状の容器である本体１０には、蓄電池ボックス２０、ユニットケース３０が配設されている。
【００１６】
蓄電池ボックス２０は、図１に示すように平面形状がほぼＵ字状である。ユニットケース３０は、蓄電池ボックス２０が収納されるスペースを除く図２に示す空きスペースに配置され、中央部に向かって反射板４１の形状に対応して放物面に近い傾斜面を有し、中央部にはランプソケット４２が埋設されている。
【００１７】
図３、図４に示すように反射板４１は、上記ユニットケース３０と蓄電池ボックス２０により本体１０の内側中央部に形成される穴部４３へ配置される。ランプソケット４２には、光源であるハロゲンランプ等のランプ４４が嵌合される。
【００１８】
蓄電池ボックス２０には、所要本数の蓄電池が直列接続されて内蔵され、ヒューズを介してプラス側端とマイナス側端とがコネクタ２９に接続されている。接続部を構成するコネクタ２９は、平面形状がほぼＵ字状である蓄電池ボックス２０の一端側において内側に形成されている。コネクタ２９の近傍における蓄電池ボックス２０の外側において本体１０の内壁に面する位置には、外方向へ突出した段部２２ａを有する第１の係合手段であるバネ２２が設けられている。
【００１９】
蓄電池を内蔵した蓄電池ボックス２０の重心を中心として、バネ２２と重量的に対称な位置に第２の係合手段であるバネ２３が設けられている。バネ２２とバネ２３とは同一の形状であり、それぞれの位置を支えることにより、蓄電池ボックス２０の重量が各支点にほぼ等分されて加えられる。蓄電池ボックス２０が本体１０に収納された状態において、バネ２２とバネ２３との段部２２ａ、２３ａに対応する本体１０の壁面の位置には、切り込みにより内側へ突出した突起１３、１４が形成されており、突起１３、１４は、段部２２ａ、２３ａと係合するように構成されている。
【００２０】
蓄電池ボックス２０において、バネ２２が設けられた位置近傍には、いくつかの放熱口２４が形成されていると共に、この部分の壁が二重壁とされ強度が強化され、バネ２２を設けるために必要な強度が確保されている。ユニットケース３０には、蓄電池ボックス２０のコネクタ２９に対応する位置に、接続部を構成するコネクタ３６が設けられている。また、ユニットケース３０内には、後に説明する各種の回路が設けられており、この回路によって生じる熱がコネクタ３６から蓄電池ボックス２０のコネクタ２９を介する経路などにより蓄電池ボックス２０側へ伝導する。従って、蓄電池ボックス２０においてバネ２２が設けられたコネクタ２９の付近は放熱が必要な部分であり、この部分に放熱口２４が形成されていることにより適切な放熱がなされるものである。
【００２１】
ユニットケース３０には、図５に示されるような回路などが収納されている。本体１０に設けられているＡＣコネクタ１１を介して交流電源（ＡＣ１００Ｖ）に接続され、蓄電池ボックス２０内の蓄電池２１を充電する充電回路３１、蓄電池２１の電力に基づきランプ４４を点灯させると共に点検等の各種場合に制御を行う点灯回路３３、点灯回路３３がリモコンと通信を行うためのリモコンモジュール３５、点灯回路３３が有線ラインにより主操作盤などと通信を行うための有線通信コネクタ３４が備えられている。
【００２２】
また、点灯回路３３には、マイクロスイッチ４６が接続されていると共に、充電モニタ用ＬＥＤ４７とランプモニタ用ＬＥＤ４８とが接続されている。マイクロスイッチ４６は、図４に示されるように、ユニットケース３０の穴４５から重力方向へ突出した操作片であるツマミ４９の操作によりオンオフされる。
【００２３】
以上の構成において非常用照明器具の設置及び組み立ての場合には、まず、ユニットケース３０が設けられた状態の本体１０を天井にネジにより配置する。このとき、ＡＣコネクタ１１に交流電源（ＡＣ１００Ｖ）を接続すると共に有線通信コネクタ３４と通信ケーブルを接続する。この状態の本体１０に対し、図６に示されるように蓄電池ボックス２０を支え、本体１０内の空きスペースに蓄電池ボックス２０を合わせると共にコネクタ２９をユニットケース３０のコネクタ３６に対応付けて、蓄電池ボックス２０を本体１０方向へ押し上げ、バネ２２、２３の段部２２ａ、２３ａと突起１３、１４と係合させる。
【００２４】
また、蓄電池ボックス２０を取り外す場合には、蓄電池ボックス２０に設けられたバネ２２、２３の端部を適当な指を使って押圧し、図６に示されるように蓄電池ボックス２０を支えながら本体１０から引き出す。この場合に、指をバネ２２、２３の端部へ添わせ易く、両手で蓄電池ボックス２０を支えるなどの作業が行い易く、また、バネ２２の位置近傍にコネクタ２９が存在するため、蓄電池ボックス２０の引き出しと共にコネクタ２９の結合を解除がなされ、コネクタ２９、３６の破損を回避できるものである。
【００２５】
図７に示すように、カバー６０の内壁部には係合爪６３、６３が直径による対向位置に設けられている。図１、図６に示されるように、本体１０の側部には、係合爪６３、６３に対応する位置に逆Ｌ字状の係合溝１２、１２が形成されており、係合爪６３、６３は逆Ｕ字状であり、係合溝１２、１２の横方向に延びている部分の下縁１２ａを挟み込みながら摺動するように構成されている。このため、カバー６０を本体１０に被せて結合・固定する場合には、係合爪６３、６３を係合溝１２、１２の始端口に合わせてカバー６０を本体１０側（天井側）へ押し付け、カバー６０の表面部が本体の開口縁部に当接してカバー６０が本体１０側（天井側）へ移動できなくなったときに、カバー６０を固定方向（図４の矢印Ａ方向）へ回転させて固定し、図８に示すように非常用照明器具を完成する。
【００２６】
本体１０にユニットケース３０と蓄電池ボックス２０とが収納固定されると、コネクタ１１を介して充電回路３１がＡＣ１００Ｖを受けて直流電圧を作成し、蓄電池２１の充電を開始する。また、点灯回路３３はコネクタ１１に到来する商用電源の断を検出し、商用電源が断となった場合には、蓄電池２１の電力を供給する制御を実行してランプ４４を点灯させる。斯して、商用電源が遮断される非常時には、本非常用照明器具により必要箇所に照明を得ることができる。
【００２７】
また、点灯回路３３は図９に示されているフローチャートに示すように、蓄電池２１の電位などにより充電状態を検出し（Ｓ１１）、充電モニタ用ＬＥＤ４７に状態（満充電、未充電など）を継続点灯や点滅などにより表示する（Ｓ１２）。また、ランプ４４に電流を流すなどしてランプ４４について正常やランプ切れ状態を検出し（Ｓ１３）、ランプモニタ用ＬＥＤ４８に状態（正常やランプ切れ状態）を継続点灯や点滅などにより表示する（Ｓ１４）。
【００２８】
点灯回路３３は、上記の動作以外に図１０に示されるフローチャートに示す処理を行うものである。即ち、リモコンモジュール３５を介したリモコンよりの指示の有無を検出し（Ｓ２１）、有線通信コネクタ３４を介した主操作盤からの指示の有無を検出し（Ｓ２２）、マイクロスイッチ４６のオンを検出する（Ｓ２３）。ステップＳ２１、Ｓ２２においてＹＥＳとなると、指示は定期点検の指示であるか、または蓄電池２１やランプ４４の状態のモニタ指示であるかを検出する（Ｓ２４）。
【００２９】
ステップＳ２４において定期点検の指示であることを検出すると、蓄電池２１の電力を供給してランプ４４の点灯を予め定められた所定時間行うと共に、その後に点灯を停止して蓄電池２１の充電を開始させ、必要な状態（ランプ４４の点灯状態や蓄電池２１の充電状態）情報をリモコンモジュール３５または有線通信コネクタ３４を介して送信する（Ｓ２５）。
【００３０】
ステップＳ２４において蓄電池２１やランプ４４の状態のモニタ指示であることを検出すると、図８のフローチャートにより検出した状態情報をリモコンモジュール３５または有線通信コネクタ３４を介して送信する（Ｓ２６）。これに対し、主操作盤やリモコンは図１０に示すように、制御部７０に、キーなどの操作部７１、ＬＣＤなどの表示部７２、更に通信部（主操作盤対応のものにあっては有線通信部、リモコン対応のものにあっては無線通信部）７３が接続された構成である。制御部７０は通信部７３を介して上記情報を受け取り、表示部７２へ情報の表示を行い、蓄電池２１の状態やランプ４４の状態を遠隔において知ることができ便利である。
【００３１】
一方、ステップＳ２３において、マイクロスイッチ４６がオンとなったことを検出すると、蓄電池２１の電力を供給してランプ４４の点灯を行う（Ｓ２７）。そしてステップＳ２７に続いて、マイクロスイッチ４６がオフとなったかを検出して（Ｓ２８）、ランプ４４の点灯を停止して蓄電池２１の充電を開始させる（Ｓ２９）。このステップＳ２９の次に、マイクロスイッチ４６のオンオフが所定のパターンで行われたかを検出する（Ｓ３０）。ここに、所定のパターンとは例えば、オンオフが所定時間（例えば５秒間）内に所定回（例えば、５回）繰り返されるような場合である。
【００３２】
上記のような所定パターンのオンオフをステップＳ３０において検出できなければステップＳ２１へ戻る。このようなステップＳ２７、Ｓ２８、Ｓ２９の処理により、ツマミ４９が引っ張られている場合に限りランプ４４の点灯が行われるので、点検者による所望の手動確認を可能とする。一方、ステップＳ３０において、上記のような所定パターンのオンオフをステップＳ２８において検出すると、蓄電池２１の電力を供給してランプ４４の点灯を予め定められた所定時間行う（Ｓ３１）と共に、その後に点灯を停止して蓄電池２１の充電を実行する制御へ復旧する（Ｓ３２）。これにより、点検者によるツマミ４９の所定操作により所定パターンでマイクロスイッチ４６のオンオフを生じさせ、所定時間の継続点灯という定期点検を実現することができ便利である。
【図面の簡単な説明】
【００３３】
【図１】本発明に係る非常用照明器具の実施例における要部に関する組み立て斜視図。
【図２】本発明に係る非常用照明器具の実施例における本体について蓄電池ボックスが未実装状態の斜視図。
【図３】本発明に係る非常用照明器具の実施例における本体について蓄電池ボックスが実装された状態の斜視図。
【図４】本発明に係る非常用照明器具の実施例における組み立て斜視図。
【図５】本発明に係る非常用照明器具の実施例における回路構成を示すブロック図。
【図６】本発明に係る非常用照明器具の実施例における要部に関する組み立て及び取り外しの過程を示す斜視図。
【図７】本発明に係る非常用照明器具の実施例におけるカバー内部を示す斜視図。
【図８】本発明に係る非常用照明器具の実施例について組み立て完了状態を示す斜視図。
【図９】本発明に係る非常用照明器具の実施例による動作を説明するためのフローチャート。
【図１０】本発明に係る非常用照明器具の実施例による動作を説明するためのフローチャート。
【符号の説明】
【００３４】
１０  本体
１１  ＡＣコネクタ
１２  係合溝
１３、１４  突起
２０  蓄電池ボックス
２１  蓄電池
２２、２３  バネ
２２ａ、２３ａ  段部
２４  放熱口
２９、３６  コネクタ
３０  ユニットケース
３１  充電回路
３３  点灯回路
３４  有線通信コネクタ
３５  リモコンモジュール
４１  反射板
４３  ランプソケット
４４  ランプ
４５  穴
４６  マイクロスイッチ
４７  充電モニタ用ＬＥＤ
４８  ランプモニタ用ＬＥＤ
４９  ツマミ
６０  カバー
６３  係合爪
【図１】
2008192333.tif 000003
【図２】
2008192333.tif 000004
【図３】
2008192333.tif 000005
【図４】
2008192333.tif 000006
【図５】
2008192333.tif 000007
【図６】
2008192333.tif 000008
【図７】
2008192333.tif 000009
【図８】
2008192333.tif 000010
【図９】
2008192333.tif 000011
【図１０】
2008192333.tif 000012